(57)【要約】【課題】良好な操作性とともに意図しない操作による誤動作を防止した電源スイッチを提供する。【解決手段】圧縮バネ１３が介装された押しボタン１１と電気的接続を切替える接点部１２を有する第１の押圧装置１０と、圧縮バネ２３が介装された押しボタン２１と当接部材２２を有する第２の押圧装置２０とを備え、第１の押圧装置１０と第２の押圧装置２０は、押下方向が対向するように配設され、第１の押圧装置１０の押しボタン１１と第２の押圧装置２０の押しボタン２１とが略同時に押下されたとき、接点部１２と当接部材２２が当接する。【選択図】図１
2010044865.tif 000002
【特許請求の範囲】
【請求項１】
圧縮バネが介装された押しボタンと電気的接続を切替える接点部を有する第１の押圧装置と、圧縮バネが介装された押しボタンと当接部材を有する第２の押圧装置とを備え、
前記第１の押圧装置と前記第２の押圧装置は、押下方向が対向するように配設され、前記第１の押圧装置の押しボタンと前記第２の押圧装置の押しボタンとが略同時に押下されたとき、前記接点部と前記当接部材が当接して、前記接点部がＯＮ状態もしくはＯＦＦ状態となることを特徴とする電源スイッチ。
【請求項２】
圧縮バネが介装された押しボタンと電気的接続を切替える接点部を有する第１の押圧装置と、圧縮バネが介装された押しボタンと当接部材を有する第２の押圧装置とを備え、
前記第１の押圧装置と前記第２の押圧装置は、押下方向が略直交するように配設され、前記第１の押圧装置の押しボタンと前記第２の押圧装置の押しボタンとが略同時に押下されたとき、前記接点部と前記当接部材が当接して、前記接点部がＯＮ状態もしくはＯＦＦ状態となることを特徴とする電源スイッチ。
【請求項３】
圧縮バネが介装された押しボタンと電気的接続を切替える接点部を有する第１の押圧装置と、圧縮バネが介装された押しボタンと当接部材を有する第２の押圧装置とを備え、
前記第１の押圧装置と前記第２の押圧装置は、押下方向が斜交するように配設され、前記第１の押圧装置の押しボタンと前記第２の押圧装置の押しボタンとが略同時に押下されたとき、前記接点部と前記当接部材が当接して、前記接点部がＯＮ状態もしくはＯＦＦ状態となることを特徴とする電源スイッチ。
【請求項４】
前記当接部材は、絶縁性の材料で形成されていることを特徴とする請求項１乃至３のいずれか１項に記載の電源スイッチ。
【請求項５】
前記当接部材は、フッ素樹脂を材料として形成されていることを特徴とする請求項１乃至３のいずれか１項に記載の電源スイッチ。
【請求項６】
前記当接部材は、前記接点部に接する面が斜めに形成されていることを特徴とする請求項２または３に記載の電源スイッチ。
【請求項７】
前記当接部材は、斜めに形成された面が粗面化されていることを特徴とする請求項６に記載の電源スイッチ。
【請求項８】
請求項１乃至７のいずれか１項に記載の電源スイッチを備えたことを特徴とするディスプレイ端末。
【発明の詳細な説明】
【技術分野】
【０００１】
本発明は、電源スイッチに関し、特に略同時に押下することによってＯＮ／ＯＦＦの操作が可能な電源スイッチに関するものである。
【背景技術】
【０００２】
従来より、ＰＣやＰＯＳ（Point Of Sales）システムで使用されるＰＯＳ端末では、稼働中などに意図しない電源ボタンへの接触によるシャットダウンなどの誤作動を防ぐために、電源スイッチは、あえて押しにくくした設計がなされている。例えば、電源スイッチをディスプレイの裏側など押しにくい位置に配置したり、電源スイッチの押しボタン自体を小さくしたり、押しボタンの周りを高くして、また、押しボタンの周りにガード部材を設けて押しにくくする等の工夫が施されている。
【０００３】
一方において、電源スイッチを意図して操作する場合には、上記したような誤動作を防止するように配慮した電源スイッチでは、操作性が著しく良くない。端末機器の用途は運用場所によって異なるので、頻度が少ないにせよ、意図する場合には電源スイッチの操作性のよいことが望ましい。
【０００４】
そこで、操作性と誤動作に伴う安全性に配慮した操作スイッチが提案されている（例えば、特許文献１参照。）
これは、プレス加工機の操作用スイッチに関するもので、操作者が両手を使って操作する左右一対の押しボタンを備えたラム下降用の両手押しボタンスイッチと、足踏み式のラム上昇用フートペタルスイッチとを備え、両手押しボタンスイッチで左右一対の押しボタンを同時に押しているＡＮＤ条件で、ラムを下降操作させるように構成したものである。
【特許文献１】特開平８−２４３７９７号公報
【発明の開示】
【発明が解決しようとする課題】
【０００５】
しかしながら、上記した特許文献１に提案されているものは、意図する場合に操作者が両手を使って操作しなければならず、決して操作性の良好な電源スイッチではなかった。
【０００６】
そこで、本発明は、上記問題点を解決するために、意図して操作する場合の操作性を良好なものとしつつ、意図しない場合の誤動作を防止して、安全で使い易い電源スイッチを提供することを目的とする。
【課題を解決するための手段】
【０００７】
本発明の一態様によれば、圧縮バネが介装された押しボタンと電気的接続を切替える接点部を有する第１の押圧装置と、圧縮バネが介装された押しボタンと当接部材を有する第２の押圧装置とを備え、前記第１の押圧装置と前記第２の押圧装置は、押下方向が対向するように配設され、前記第１の押圧装置の押しボタンと前記第２の押圧装置の押しボタンとが略同時に押下されたとき、前記接点部と前記当接部材が当接して、前記接点部がＯＮ状態もしくはＯＦＦ状態となることを特徴とする電源スイッチが提供される。
【０００８】
また、本発明の別の一態様によれば、圧縮バネが介装された押しボタンと電気的接続を切替える接点部を有する第１の押圧装置と、圧縮バネが介装された押しボタンと当接部材を有する第２の押圧装置とを備え、前記第１の押圧装置と前記第２の押圧装置は、押下方向が略直交するように配設され、前記第１の押圧装置の押しボタンと前記第２の押圧装置の押しボタンとが略同時に押下されたとき、前記接点部と前記当接部材が当接して、前記接点部がＯＮ状態もしくはＯＦＦ状態となることを特徴とする電源スイッチが提供される。
【０００９】
さらに、本発明の別の一態様によれば、圧縮バネが介装された押しボタンと電気的接続を切替える接点部を有する第１の押圧装置と、圧縮バネが介装された押しボタンと当接部材を有する第２の押圧装置とを備え、前記第１の押圧装置と前記第２の押圧装置は、押下方向が斜交するように配設され、前記第１の押圧装置の押しボタンと前記第２の押圧装置の押しボタンとが略同時に押下されたとき、前記接点部と前記当接部材が当接して、前記接点部がＯＮ状態もしくはＯＦＦ状態となることを特徴とする電源スイッチが提供される。
【００１０】
本発明の電源スイッチにおいては、前記当接部材は、絶縁性の材料で形成されていることを特徴とする。
【００１１】
本発明の電源スイッチにおいては、前記当接部材は、フッ素樹脂を材料として形成されていることを特徴とする。
【００１２】
本発明の電源スイッチにおいては、前記当接部材は、前記接点部に接する面が斜めに形成されていることを特徴とする。
【００１３】
本発明の電源スイッチにおいては、前記当接部材は、斜めに形成された面が粗面化されていることを特徴とする。
【００１４】
また、本発明の別の一態様によれば、請求項１乃至７のいずれか１項に記載の電源スイッチを備えたことを特徴とするディスプレイ端末が提供される。
【発明の効果】
【００１５】
本発明によれば、意図しない操作による誤動作を防止し、安全で使い易い電源スイッチが得られる。
【発明を実施するための最良の形態】
【００１６】
以下、本発明の実施形態について、図面を参照しながら説明する。尚、各図において同一箇所については同一の符号を付している。
【００１７】
（第１の実施形態）
図１は、ＰＯＳ端末やディスプレイ端末等に配設される電源スイッチ１００であって、プッシュ型の電源スイッチの構成例を示す略断面図である。
【００１８】
図１に示すように、電源スイッチ１００は、互いに近傍に配設される第１の押圧装置１０と第２の押圧装置２０とで構成されている。それぞれ、第１の押圧装置１０と第２の押圧装置２０は対向して、すなわち、押下方向を略１８０度反対にして、取り付けパネル１に取り付けられている。
【００１９】
第１の押圧装置１０は、操作者が指等で押すことができる押しボタン１１と、電源スイッチ自体のＯＮ／ＯＦＦを切替えるための接点部１２を備えている。押しボタン１１は、指の触れる部位に若干の窪みを形成することにより操作する際の感触も良好となり、例えば、樹脂モールド材で形成することができる。接点部１２には、所定の電気的な接続(図示しない）が施される。
【００２０】
同様に、第２の押圧装置２０は、操作者が指等で押すことができる押しボタン２１と、当接部材２２を備えている。押しボタン２１は、例えば、樹脂モールド材で形成することができる。当接部材２２は、好ましくは絶縁性の材料で形成され、例えばフッ素樹脂で形成できる。
【００２１】
押しボタン１１の下部と、取り付けパネル１との間には、第１の押圧装置用の圧縮バネ１３が介装されている。この圧縮バネ１３は、押しボタン１１が押下されて可動後に、押しボタン１１を元の位置に復帰させるためのものである。
【００２２】
同様に、押しボタン２１の下部と、取り付けパネル１との間には、第２の押圧装置用の圧縮バネ２３が介装されている。この圧縮バネ２３は、押しボタン２１が押下されて可動後に、押しボタン２１を元の位置に復帰させるためのものである。
【００２３】
尚、取り付けパネル１の形状は一例を示すものであって、図１に示す形状には限定されないことは言うまでもない。
【００２４】
上記したように、第１の押圧装置１０と第２の押圧装置２０は互いに近傍に配設されており、略同時に押下された場合には、第１の押圧装置１０の接点部１２は第２の押圧装置２０の当接部材２２によって押されるようになっている。したがって、操作者は、電源スイッチ１００のＯＮ／ＯＦＦ操作を行う意図で、第１の押圧装置１０及び第２の押圧装置２０を同時に押圧することにより、この電源スイッチ１００が搭載された電子機器の電源スイッチ１００のＯＮ／ＯＦＦを実行することができる。このとき、絶縁性の当接部材２２で接点部１２が押されるので、接点部１２を損傷させることもない。
【００２５】
尚、第１の押圧装置１０と第２の押圧装置２０が操作者によって適切に押下された場合に、電源スイッチ１００としてのＯＮ状態を表わすインジケータ（図示しない）を、電源スイッチ１００の近傍に配設することが好適である。
【００２６】
（第２の実施形態）
図２は、本発明の第２の実施形態に係る電源スイッチ１００の略断面図である。図２に示すように、電源スイッチ１００は、互いに近傍に配設される第１の押圧装置３０と第２の押圧装置４０とで構成されている。第１の押圧装置３０と第２の押圧装置４０は、それぞれの押下方向が略直交するように、取り付けパネル２に取り付けられている。
【００２７】
第１の押圧装置３０は、操作者が指等で押すことができる押しボタン３１と、電源スイッチ１００自体のＯＮ／ＯＦＦを切替えるための接点部３２を備えている。押しボタン３１は、例えば、樹脂モールド材で形成することができる。接点部３２には、所定の電気的な接続(図示しない）が施される。この接点部３２は、先端部（押しボタン３１の反対側）が、円弧状に丸みを形成すると好適である。
【００２８】
第１の実施形態と同様に、第２の押圧装置４０は、操作者が指等で押すことができる押しボタン４１と、当接部材４２を備えている。押しボタン４１は、例えば、樹脂モールド材で形成することができる。第１の実施形態と同様に、当接部材４２は、好ましくは絶縁性の材料で形成され、例えばフッ素樹脂で形成できる。
【００２９】
第１の実施形態と同様に、押しボタン３１の下部と、取り付けパネル２との間には、第１の押圧装置３０用の圧縮バネ３３が介装されている。この圧縮バネ３３は、押しボタン３１が押下されて可動後に、押しボタン３１を元の位置に復帰させるためのものである。
【００３０】
押しボタン４１の下部と、取り付けパネル２との間には、第２の押圧装置４０用の圧縮バネ４３が介装されている。この圧縮バネ４３は、押しボタン４１が押下されて可動後に、押しボタン４１を元の位置に復帰させるためのものである。
【００３１】
尚、取り付けパネル２の形状は一例を示すものであって、図２に示す形状には限定されないことは言うまでもない。
【００３２】
上記したように、第１の押圧装置３０と第２の押圧装置４０は互いに近傍に配設されており、かつ、互いの押下方向が略直交しているので、略同時に押下された場合には、第１の押圧装置３０の接点部３２は第２の押圧装置４０の当接部材４２によって押されるようになっている。したがって、操作者は、電源スイッチ１００のＯＮ／ＯＦＦ操作を行う意図で、第１の押圧装置３０及び第２の押圧装置４０を同時に押圧することにより、この電源スイッチ１００が搭載された電子機器の電源スイッチ１００のＯＮ／ＯＦＦを実行することができる。このとき、絶縁性の当接部材４２で接点部３２が押されるので、接点部３２を損傷させることもない。
【００３３】
尚、第１の押圧装置３０と第２の押圧装置４０は、互いの押下方向が略直交する場合に限らない。互いの押下方向が斜交する、すなわち、９０度以外の角度で交わるように配置することもできることは言うまでもない。
【００３４】
（第３の実施形態）
次に、第３の実施形態について説明する。この第３の実施形態は、第２の実施形態の言わば変形例になる。図３に示すように、第２の押圧装置５０における当接部材５２の形状は、平板状もしくは角柱状ではなく、第１の押圧装置３０に向かって、斜めにカットされている。さらに、斜めに形成された当接部材５２の面には、粗面化加工を施こすことが好適である。粗面化加工としては、例えばローレット加工状の細かな溝を形成することができる。したがって、第１の押圧装置３０と第２の押圧装置５０の各押しボタン３１，５１を押下するタイミングに若干のズレがあっても、第１の押圧装置３０の接点部３２は、第２の押圧装置５０の当接部材５２によって確実に押されるので、電源スイッチ１００のＯＮ／ＯＦＦ操作が安全に実行できる。
【００３５】
上記した構成の電源スイッチ１００は、各種の電子機器に配設することができる。例えば、図４は、電源スイッチ１００が配設されるディスプレイ端末２００の電源スイッチ１００周りを示す模式図である。液晶ディスプレイのように、ディスプレイ端末２００の厚さの薄い部位に電源スイッチ１００を配設することにより、操作者は、第１の押圧装置１０と第２の押圧装置２０の各押しボタンを摘むように押すことにより、電源スイッチ１００のＯＮ／ＯＦＦを操作することができる。仮に、ディスプレイ端末２００の操作者側に位置している第１の押圧装置１０の押しボタンに誤って触れても、第１の押圧装置１０と第２の押圧装置２０の各押しボタンを同時に押さないと、ＯＮ／ＯＦＦの操作が有効とはならないから、意図しない状況下での誤操作防止が確実に図られる。
【００３６】
本実施形態では、上記構成を採用することにより、従来の誤動作防止スイッチにおいて問題となっていた操作性の悪さを軽減するとともに、電源スイッチが近接して配設されているにもかかわらず、意図した場合に電源スイッチを操作することができる。
【００３７】
本発明は上記実施形態そのままに限定されるものではなく、実施段階ではその要旨を逸脱しない範囲で構成要素を変形して具体化できる。上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３８】
【図１】本発明の実施形態に係る電源スイッチの略断面図である。
【図２】第２の実施形態に係る電源スイッチの略断面図である。
【図３】第３の実施形態に係る電源スイッチの略断面図である。
【図４】本発明の実施形態に係る電源スイッチが配設されるディスプレイ端末の電源スイッチ周りを示す模式図である。
【符号の説明】
【００３９】
１００・・・電源スイッチ、１０，３０・・・第１の押圧装置、２０，４０，５０・・・第２の押圧装置、１１，２１，３１・・・押しボタン、１２，３２・・・接点部、２２，４２，５２・・・当接部材、１３，２３，３３，４３・・・圧縮バネ。
【図１】
2010044865.tif 000003
【図２】
2010044865.tif 000004
【図３】
2010044865.tif 000005
【図４】
2010044865.tif 000006